(57)【要約】【課題】本発明は、簡易且つ迅速な封緘を可能としてビジネスフォーム（帳票）として求められる事務合理化の要請を十分に満足することができ、しかも簡易に作製することができる封筒用シートを提供する。【解決手段】所定折目で折り畳み、所定箇所を接着することにより封筒２を形成する封筒用シート１である。一対の封筒本体片３ａ、３ｂと、一対の封筒本体片３ａ、３ｂの一端部に折目２１を介して連設される封緘片４とを有する。所定折り畳み状態で互いに重なり合う面の幅方向両縁部に封筒形成用接着部９が連続的に設けられる。封緘片４と封筒本体片３ａとの互いに重なり合う面に封筒２の開口を封緘するための封緘用接着部１０が設けられる。各封筒形成用接着部９，１０に塗布される接着剤が、各接着部同士が重ね合わされた状態で加圧されることにより接着される感圧接着剤である。【選択図】　　図１
2004131116.tif 000002
【特許請求の範囲】
【請求項１】
略平行な折目に沿って折り畳み、所定箇所を接着することにより封筒を形成する封筒用シートであって、
上記封筒を構成する一対の封筒本体片と、該一対の封筒本体片の一端部に折目を介して連設される封緘片とを有し、
上記一対の封筒本体片の間に折り畳んだ際の互いに重なり合う面の左右両端縁部に封筒形成用接着部が連続的ないし断続的に設けられる一方、上記封緘片を折り返した状態で上記封筒本体片と互いに重なり合う面に上記封筒の開口部を封緘するための封緘用接着部が設けられ、
上記各接着部には、予め各接着部同士が互いに重ね合わされた状態で加圧することにより接着することができる感圧接着剤を塗布し、上記一対の封筒本体片と封緘片とを巻き折りした状態で加圧することにより、各接着部を接着して封止できるようにしたことを特徴とする情報シートを連設した封筒用シート。
【請求項２】
請求項１記載の封筒用シートにおいて、上記封筒本体片の左右両端縁部における上記封筒用接着部の内側には、該封筒用接着部を切り離すためのミシン目が設けられていることを特徴とする封筒用シート。
【請求項３】
請求項１または請求項２記載の封筒用シートにおいて、上記封筒本体片と上記封緘片との間の折目は、ミシン目により構成されていることを特徴とする封筒用シート。
【請求項４】
請求項１ないし請求項３のいずれか１項に記載の封筒用シートにおいて、上記一対の封筒本体片のうちのいずれか一方に、上記封筒に封入された内封物に表示された宛名、宛先等の宛名情報を読み取るための透光窓部が設けられていることを特徴とする封筒用シート。
【発明の詳細な説明】
【０００１】
【発明の属する技術分野】
この発明は、コンピューターによって入力管理されている顧客等の個人情報、例えば銀行口座の出納明細や電話料金の請求書等を顧客等に通知するために用いられる封筒を形成するための封筒を形成することができる封筒用シートに関する。
【０００２】
【従来の技術】
この種の封筒用シートにおいては、例えば宛名や宛先等の宛名情報が表示され折目を介して連設された一対の封筒本体片と、この一対の封筒本体片の一端部に折目を介して連設された封緘片と、上記封筒本体片の他端部に折目を介して連設された情報シート片とを有する一定幅の封筒用長尺シートが知られている（例えば特許文献１）。
【０００３】
この封筒用長尺シートは、上記情報シート片が内側に折り込まれた状態で長手方向に巻き折られ、この折り畳み状態で重ね合わされる長手方向両縁部に感圧接着剤が塗布されており、折り畳み状態で加圧されることによりこの長手方向両縁部が封止されて封筒が形成されるように構成されている。一方、この封筒用長尺シートの封緘片は、長尺シートが折り畳まれた状態で封筒本体片に重ね合わされ、この重合面には再湿接着剤が塗布されており、この再湿接着剤により人手を用いて封緘片が封筒本体片に封止接着されるように構成されている。
【０００４】
【特許文献１】
特開平１１−１４７５４１号公報
【０００５】
【発明が解決しようとする課題】
しかしながら、上記封筒用長尺シートは、封緘片に塗布された接着剤が再湿接着剤であるために、この封筒用長尺シートにより形成された封筒を封緘する場合に、再湿工程と接着工程とを要し、簡易且つ迅速に処理することができないという問題があった。
【０００６】
また、上記封筒用長尺シートは、その両縁部に塗布された接着剤と封緘片に塗布された接着剤とが、すなわち封緘片側に開口した封筒を形成するための接着剤とこの上記開口を封緘するための接着剤とが異なるため、このシート自体を作製する段階でも、感圧接着剤の塗布工程と再湿接着剤の塗布工程を要し、簡易に製作することができないという問題があった。
【０００７】
本発明は、上記従来の封筒用シートの改良に係るものであり、簡易且つ迅速な封緘を可能としてビジネスフォーム（帳票）として求められる事務合理化の要請を十分に満足することができ、しかも簡易に作製することができる封筒用シートを提供することを目的とする。
【０００８】
【課題を解決するための手段】
上記目的を達成するため、この発明に係る封筒用シートは、略平行な折目に沿って折り畳み、所定箇所を接着することにより封筒を形成する封筒用シートであって、上記封筒を構成する一対の封筒本体片と、該一対の封筒本体片の一端部に折目を介して連設される封緘片とを有し、上記一対の封筒本体片の間に折り畳んだ際の互いに重なり合う面の左右両端縁部に封筒形成用接着部が連続的ないし断続的に設けられる一方、上記封緘片を折り返した状態で上記封筒本体片と互いに重なり合う面に上記封筒の開口部を封緘するための封緘用接着部が設けられ、上記各接着部には、予め各接着部同士が互いに重ね合わされた状態で加圧することにより接着することができる感圧接着剤を塗布し、上記一対の封筒本体片と封緘片とを巻き折りした状態で加圧することにより、各接着部を接着して封止できるようにしたことを特徴とするものである。
【０００９】
上記構成によれば、封筒の開口を封緘するための封緘用接着部に、各接着部同士が互いに重ね合わされた状態で加圧することにより接着することができる感圧接着剤が予め塗布されるので、加圧するという一工程で封緘することができ、簡易且つ迅速な封緘が可能となる。しかも、各接着部に塗布される接着剤が各接着部同士が重ね合わされた状態で加圧されてはじめて接着することができる感圧接着剤が用いられているので、封緘片を封筒本体片に重ね合わせない状態で加圧することにより、封緘用接着部に支障を来すことなく接着部を接着して封緘片側に開口した封筒を形成することができる。また、接着部と封緘用接着部とに塗布される接着剤が同一のものであるので、一連の塗布作業で作製することができ、簡易に作製することができる。
【００１０】
この発明において、上記封筒本体片の左右両端縁部における上記封筒用接着部の内側には、該封筒用接着部を切り離すためのミシン目が設けられたり、上記一対の封筒本体片と上記封緘片との間の折目がミシン目により構成されたりするのが好ましい。このように構成すれば、ミシン目に沿って封筒形成用接着部を切り落とすことができ、或いはミシン目に沿って一対の封筒本体片と封緘片とを切り離すことができ、開封作業における作業効率を向上することができ、また内封物である情報シート片を毀損することなく、開封することができる。
【００１１】
また、この発明において、上記一対の封筒本体片のうちのいずれか一方に、上記封筒に封入された内封物に表示された宛名、宛先等の宛名情報を読み取るための透光窓部が設けられているのが好ましい。このように構成すれば、この封筒用シートにより形成される封筒に内封される内封物に宛名や宛先等の宛名情報とこの宛名情報により特定される名宛人の個人情報とを共に内封物の同一面に記載することができ、しかもこの宛名情報を透光窓部を通して封筒の外部から読み取ることができるので、宛名情報と個人情報との不一致による誤送付を確実に防止することができる。
【００１２】
【発明の実施の形態】
この発明に係る封筒用シートを図面に示された一実施形態に基づいて説明する。
【００１３】
図１は、本実施形態に係る封筒用シートを示す平面図であり、図２は同封筒用シートの背面図である。ここで、この封筒用シート１の表面とは、折り畳み状態で封筒２の外側面を含む面をいうものとする。
【００１４】
この封筒用シート１は、コート紙、上質紙等の紙等からなる一定幅の帯状シートであり、所定方向に折り畳まれ、所定箇所が接着されることにより、封筒を形成するものである。本実施形態の封筒用シート１は、その幅が定形郵便の長辺長さに設定され、その長手方向に沿って所定の間隔でシートの幅方向に延びる複数本（本実施形態では２本）の折目２０、２１が略平行に設けられ、折り畳み状態で定形郵便大の長方形状の封筒２が形成されるものとなされている。
【００１５】
図３は、本実施形態に係る封筒用シート１により形成された封筒を示す平面図であり、図４は、図３におけるＩＶ−ＩＶ線断面図である。図５は、図３におけるＶ−Ｖ線断面図である。
【００１６】
なお、本実施形態では、封筒用シート１は、定形郵便の長辺長さをその幅とした長尺シートが用いられているが、定形郵便の短辺長さをその幅とした長尺シートを用いるものであっても良い。また、この封筒用シート１により形成される封筒２は、定形郵便大、すなわち、長辺１４〜２３．５ｃｍ（本実施形態では２３．５ｃｍ）で、短辺９〜１２ｃｍ（本実施形態では１２ｃｍ）に設定されているが、封筒２の大きさはこれに限るものではない。ただし、汎用性や送料等の使用勝手の観点から上記のように定形郵便大の封筒２とするのが好ましい。
【００１７】
そして、この封筒用シート１は、封筒２を構成し折目２０を介して連設された一対の封筒本体片３ａ，３ｂと、この一対の封筒本体片３ａ，３ｂの一端部に折目２１を介して連設された封緘片４を有し、これらの封筒本体片３ａ，３ｂ、封緘片４が一連一体に設けられている。
【００１８】
封筒本体片３ａ，３ｂと封緘片４とは、図４に示すように、各折目２０，２１を同一方向に折り曲げ（例えば山折りまたは谷折り）、すなわち巻き折りすることにより、封筒２が形成される。
【００１９】
この一対の封筒本体片３ａ，３ｂは、それぞれ封筒用シート１の長手方向に対応する長さが定形郵便の短辺長さに設定され、図３及び図４に示すように、二つ折り状態において定形郵便大となるようになされている。一対の封筒本体片３ａ，３ｂのうちのいずれか一方３ａにおける表面（折り畳み状態における封筒２の外側面）所定位置には、宛名及び宛先等の宛名情報が記載される宛名情報欄６が設けられている。この宛名情報欄６は、空白部としての宛名情報欄６に宛名情報が印字等により記載された状態で示している。なお、この宛名情報欄６は、印刷等により封筒本体３ａ，３ｂの表面に設けるものであってもよい。
【００２０】
他方の封筒本体片３ｂにおける表面は、例えば広告や差出人に関する情報を印刷等するようにしてもよい。
【００２１】
封緘片４は、図１〜図４に示すように、上記一対の封筒本体片３ａ，３ｂにより形成される封筒２の開口を封緘するためのものであり、封筒用シート１の長手方向一端部に位置するものとなされている。すなわち、この封緘片４は、一対の封筒本体片３ａ，３ｂのいずれか一方の端縁部に折目２１を介して連設され、一対の封筒本体片３ａ，３ｂとともに巻き折りして、この封緘片４が連設されていない封筒本体片３ａの上縁部に貼着される。
【００２２】
而して、この封筒用シート１は、その表面側において、図１に示すように、封筒用シート１における幅方向両縁部に感圧接着剤が塗布された封筒形成用封筒形成用接着部９が長手方向に沿って細長帯状に設けられているとともに、封筒本体片３における上記封緘片４が重ね合わされる面の縁部に感圧接着剤が塗布された封緘用接着部１０が封筒用シート１の幅方向に沿って設けられている。
【００２３】
一方、封筒用シート１は、その裏面側において、図２に示すように、幅方向両縁部における全長に亘って感圧接着剤が塗布された封筒形成用接着部９が設けられていると共に、封緘片４における上記封筒本体片３ｂが連設された端縁部側と反対側の端縁部に感圧接着剤が塗布された封緘用接着部１０が封筒用シート１の幅方向に沿って設けられている。
【００２４】
すなわち、上記封筒形成用接着部９は、図２及び図５に示すように、封筒用シート１の封筒２形成時における互いに重なり合う面の左右両縁部に連続的に設けられ、この封筒形成用接着部９の互いに重なり合う対応部分同士が接着されることにより左右の短辺部を全てを封止して長辺部の一方向が開口した封筒２を形成する。一方、封緘用接着部１０は、封緘片４をこの封緘片４が連設された封筒本体片３と異なる封筒本体片３に重ね合わされるように折り返した状態で、封緘片４と封筒本体片３の互いに重なり合う面に設けられ、封緘片４に設けられた封緘用接着部１０と封筒本体片３に設けられた封緘用接着部１０とが接着されることにより、上記封筒２の長辺側の開口を封緘する。
【００２５】
この封筒形成用接着部９及び封緘用接着部１０には、予め感圧接着剤が塗布されている。この感圧接着剤は、感圧接着剤が塗布された部分同士が重ね合わされた状態で加圧されることによりはじめて接着されるものであり、重ね合わされた面の一方にのみ感圧接着剤が塗布されている状態では、例え加圧したとしても接着されないものである。感圧接着剤の成分等を特に限定するものではなく、公知の感圧接着剤が用いられ、例えばスチレン、アクリル酸アルキルエステル、アクリル酸共重合体、水性エマルジョン等の混合物が用いられる。また、この感圧接着剤は、剥離して内封物が脱落しないように、永久接着されるものが好ましい。
この感圧接着剤を接着するには、上述のように各接着部同士を重ね合わせ、この状態において所定圧力で加圧すれば良い。この加圧する場合の圧力は、例えばコート紙ならば約５００ｋｇｆ／ｃｍ２以上、上質紙ならば約７００ｋｇｆ／ｃｍ２以上に設定するのが好ましい。このように所定値以上の圧力で加圧することにより強固に接着することができる。また、ここにいう感圧接着剤には一定の加熱状態で加圧することにより良好な接着性を示すものを含む趣旨である。
【００２６】
また、この封筒用シート１は、図２に明示するように、左右両端縁部における上記封筒形成用接着部９の内側に第１ミシン目１１が設けられ、図３及び図５に示すように開封時にこの第１ミシン目１１に沿って上記封筒形成用接着部９を含む左右両端縁部を切り落とし可能に形成されている。一方、封緘片４と一対の封筒本体片３との間の折目２１には、第２ミシン目１２により構成され、図３及び図４に示すように、封緘片９における封緘用接着部１０を一対の封筒本体片３から切り離し可能に形成されている。なお、図中ミシン目１２は、説明の便宜上、折目２１と略平行に設けられているが、実際は折目２１とミシン目１２は一致した状態で設けられている。また、これらのミシン目１１，１２は適宜省略することができ、また上記ミシン目１１，１２に替えて切断指示線を設けるものであっても良い。上記のようにミシン目１１，１２を省略した場合には、例えばはさみ等の切断手段により封筒形成用接着部９が切り落とされ、あるいは封緘用接着部１０が一対の封筒本体片３から切り離される。さらに、ミシン目１２の位置は適宜変更することができ、折目２１から封緘片４寄り、或いは封筒本体片３ｂ寄りに設けるものであってもよい。
【００２７】
次に、本実施形態に係る封筒用シート１の製造方法及びこの封筒用シート１により封筒２を形成する方法について説明する。
【００２８】
まず、幅が定形郵便の長辺長さに設定され無地または予め下地が印刷されたシートにおける同一面に宛名情報欄６を印刷し、あるいはこれらの欄を空白部として設ける。そして、このシートにおける上記した所定箇所に第１ミシン目１１及び第２ミシン目１２を形成するとともに、封筒用シート１の上記した所定箇所に感圧接着剤を塗布乾燥させて封筒形成用接着部９及び封緘用接着部１０を形成して、封筒用シート１を製造する。この封筒用シート１には、予め折目が設けられていてもよいが、封筒２形成時に後述の折り機等により折目を形成してもよい。
【００２９】
そして、この封筒用シート１における宛名情報欄６に宛名情報を片面印字プリンターにより印字する。また、上記宛名情報の印字前または印字後に、必要に応じ、上記封筒用シート１の表裏両面における一定空白部分に例えば広告や送り主等の各種情報を印刷あるいは印字するようにしてもよい。
【００３０】
次に、上記封筒用シート１を、折り機等により、長手方向に折り畳む。具体的には、図１において一対の封筒本体片３ａ，３ｂを間の折目２０を山折りし、一対の封筒本体片３ａ，３ｂを二つ折り状に折り畳む。そして、この二つ折り状態にある封筒用シート１をローラー等により上記所定条件下で加圧、或いは加熱加圧して一方向に開口する封筒２を形成する。この封筒２を例えば封入封緘機の吸いだこによりその両側から吸い上げて上記開口を拡開させ、一対の封筒本体片３ａ，３ｂ間に別個独立の内封物を挿入する。最後に、封緘片４をその折目２１で折り返して、所定条件下でさらに加圧、或いは加熱加圧して、独立の内封物を封入した封筒２を形成する。
【００３１】
そして、第１ミシン目１１に沿って封筒２の封筒形成用接着部９を切り落とすと共に、第２ミシン目１２に沿って封緘片４における封緘用接着部１０を切り離すことによりこの封筒２を簡単に開封することができる。
【００３２】
なお、以上に本実施形態に係る封筒用シート１について説明したが、この発明に係る封筒用シート１は、上記実施形態に限定されるものではなく、その趣旨を逸脱しない範囲で種々の変更が可能である。例えば、以下のような変更が可能である。
【００３３】
上記実施形態では、一対の封筒本体片３のいずれか一方に宛名情報欄６を設けるものとしたが、この宛名情報欄６に替えて透光窓部を設け、この透光窓部を通して封筒に封入された内封物に記載された宛名情報を読み取ることができるように構成してもよい。
【００３４】
すなわち、図６は、この発明に係る封筒用シートの他の実施形態により形成された封筒に内封物を封入した状態で示す平面図である。この他の実施形態に係る封筒用シート１は、一対の封筒本体片３におけるいずれか一方の所定位置に、透光窓部３０が設けられている。具体的には、この一方の封筒本体片３ａには、その左半部に略矩形状の窓孔部３１が穿設され、この窓孔部３１に合成樹脂や紙等からなる透明フィルム３２が貼着されて透光窓部が設けられている。この透明フィルム３２は、内封物に記載された宛名情報を明確に読み取ることができるものであれば、例えば半透明のものを用いてもよい。そして、この封筒用シート１により形成される封筒２に、宛名情報とこの宛名情報により特定される名宛人の個人情報とが同一面に記載された内封物を、その宛名情報を透光窓部３０に対向させた状態で封入することにより、透光窓部３０を通して内封物の宛名情報を読み取ることができる。このように、宛名情報欄６に替えて透光窓部３０を設けるものとすれば、内封物に直接記載された宛名情報を読み取ることができ、宛名情報と個人情報との不一致による誤送付を確実に防止することができる。
【００３５】
また、上記実施形態では、封筒形成用接着部９が連続的に設けられたものについて説明したが、封筒形成用接着部９が断続的に設けられているものであっても良い。この封筒形成用接着部が断続的に設けられる場合には、封筒形成用接着部が相互に不連続の複数の単位接着部からなり、これらの単位接着部が長さ方向に微小間隔をあけて設けられている場合や、これらの単位接着部が長さ方向に一部重複するような状態で千鳥状に配設されている場合等も含まれる。
【００３６】
【発明の効果】
以上のように、本発明に係る封筒形成用シートは、略平行な折目に沿って折り畳み、所定箇所を接着することにより封筒を形成する封筒用シートであって、上記封筒を構成する一対の封筒本体片と、該一対の封筒本体片の一端部に折目を介して連設される封緘片とを有し、上記一対の封筒本体片の間に折り畳んだ際の互いに重なり合う面の左右両端縁部に封筒形成用接着部が連続的ないし断続的に設けられる一方、上記封緘片を折り返した状態で上記封筒本体片と互いに重なり合う面に上記封筒の開口部を封緘するための封緘用接着部が設けられ、上記各接着部には、予め各接着部同士が互いに重ね合わされた状態で加圧することにより接着することができる感圧接着剤を塗布し、上記一対の封筒本体片と封緘片とを巻き折りした状態で加圧することにより、各接着部を接着して封止できるようにしたことを特徴とするので、加圧するという一工程でこの封筒用シートにより形成された一方向開口の封筒を簡易且つ迅速に封緘することができる。また、各接着部に塗布される接着剤が重ね合わせ状態での加圧によりはじめて接着することができる感圧接着剤であるので、封緘用接着部に支障を来すことなく封筒形成用接着部を接着して封緘片側に開口した封筒を形成することができる。さらに、封筒形成用接着部と封緘用接着部とに塗布される接着剤が同一のものであるので、一連の塗布作業で作製することができ、簡易に作製することができる。
【図面の簡単な説明】
【図１】本実施形態に係る封筒用シート示す平面図である。
【図２】同封筒用シートを示す背面図である。
【図３】本実施形態に係る封筒用シートにより形成された封筒を示す平面図である。
【図４】図３におけるＩＶ−ＩＶ線断面図である。
【図５】図３におけるＶ−Ｖ線断面図である。
【図６】他の実施形態に係る封筒用シートにより形成された封筒を示す平面図である。
【符号の説明】
１　封筒用シート
２　封筒
３　封筒本体片
４　封緘片
６　宛名情報欄
９　封筒形成用接着部
１０　封緘用接着部
３０　透光窓部
【図１】
2004131116.tif 000003
【図２】
2004131116.tif 000004
【図３】
2004131116.tif 000005
【図４】
2004131116.tif 000006
【図５】
2004131116.tif 000007
【図６】
2004131116.tif 000008